(57)【要約】【課題】簡易型監視装置を備えた昇降機からも運行データを自動的に収集し、利用状況報告書を簡単に作成できる昇降機の利用状況報告書作成装置の提供。【解決手段】簡易型監視装置１６に、昇降機１５の運行データを読み出す読み出し手段１８と、運行データを外部へ送信する送信手段１７とを設けるともに、監視センタ２に、前記の運行データを記憶する記憶部２２を設け、情報センタ３に、前記の運行データから所定データを抽出する抽出手段３１と、所定データより利用状況の演算式を算出する演算式算出手段３３と、算出結果を記憶する記憶部３２とを設け、営業所４に、昇降機１５に関するデータを収集するパソコン４１と、昇降機１５の利用状況報告書を作成する報告書作成手段とを設けた。【選択図】図１
2005067759.tif 000002
【特許請求の範囲】
【請求項１】
昇降機の運行データを記憶する記憶部を備えた昇降機の利用状況報告書作成装置において、
前記昇降機が設置されるビルに、前記運行データを前記記憶部から読み出す読み出し手段と、この読み出し手段で読み出した運行データを前記ビルの外部に通信手段を介して送信する送信手段とを設けるともに、
前記ビルの外部の所定箇所に、前記送信手段で送信された運行データを記憶する利用状況記憶部と、この利用状況記憶部に記憶された運行データから所定のデータを抽出する利用状況抽出手段と、この利用状況抽出手段で抽出した所定のデータより前記昇降機の利用状況を演算する演算式を算出する演算式算出手段と、この算出結果を記憶する算出結果記憶部と、これらの利用状況記憶部および算出結果記憶部から前記昇降機に関するデータを収集するデータ抽出手段と、このデータ抽出手段で抽出したデータに基づいて前記昇降機の利用状況に関する報告書を作成する報告書作成手段とを設けたことを特徴とする昇降機の利用状況報告書作成装置。
【発明の詳細な説明】
【技術分野】
【０００１】
本発明は、昇降機の運行データを収集し、昇降機の使用者または管理者に提出する利用状況報告書を作成する昇降機の利用状況報告書作成装置に関する。
【背景技術】
【０００２】
従来、フルスペックの監視端末を有する昇降機から送信手段を介し、昇降機の詳細な運行データを情報センタの記憶部に蓄積した後、この記憶部の記憶内容に基づいて昇降機の利用状況および翌年のメンテナンス計画などの報告を作成して昇降機の使用者または管理者などに提出している。（例えば、特許文献1参照。）。
【特許文献１】特開２０００−１９８６３５号公報（段落番号００１６~００１９、図１,２）
【発明の開示】
【発明が解決しようとする課題】
【０００３】
しかしながら、上述した従来技術では、フルスペックの監視端末の付いていない昇降機の場合には、この昇降機の各種点検や検査時に診断を行ない、修理や部品の交換の提案を行なうのに多大な時間と手間がかかり、また上記の診断の周期によっては故障後の交換となってしまう可能性がある。
【０００４】
本発明は、上述した従来技術における実情を鑑みてなされたもので、その目的は、簡易型監視装置を備えた昇降機からも運行データを自動的に収集し、フルスペック監視装置が設けられる他の昇降機と同等の利用状況報告書を簡単に作成することのできる昇降機の利用状況報告書作成装置を提供することにある。
【課題を解決するための手段】
【０００５】
上記目的を達成するために、本発明は、昇降機の運行データを記憶する記憶部を備えた昇降機の利用状況報告書作成装置において、前記昇降機が設置されるビルに、前記運行データを前記記憶部から読み出す読み出し手段と、この読み出し手段で読み出した運行データを前記ビルの外部に通信手段を介して送信する送信手段とを設けるともに、前記ビルの外部の所定箇所に、前記送信手段で送信された運行データを記憶する利用状況記憶部と、この利用状況記憶部に記憶された運行データから所定のデータを抽出する利用状況抽出手段と、この利用状況抽出手段で抽出した所定のデータより前記昇降機の利用状況を演算する演算式を算出する演算式算出手段と、この算出結果を記憶する算出結果記憶部と、これらの利用状況記憶部および算出結果記憶部から前記昇降機に関するデータを収集するデータ抽出手段と、このデータ抽出手段で抽出したデータに基づいて前記昇降機の利用状況に関する報告書を作成する報告書作成手段とを設けた構成にした。
【０００６】
このように構成した本発明では、昇降機の稼働中に得られた運行データを記憶部に記憶しておき、この記憶部からデータ読み出し手段により前記の運行データを読み出して送信手段でビルの外部に送信し、次いで、ビルの外部の所定箇所に設けられる利用状況記憶部に前記の送信された運行データを記憶し、この運行データから利用状況抽出手段により所定のデータを抽出するとともに、抽出した所定のデータより利用状況を演算する演算式を演算式算出手段で算出して算出結果を算出結果記憶部に記憶する。次いで、これらの利用状況記憶部および算出結果記憶部からデータ抽出手段により前記の昇降機に関するデータを収集して報告書作成手段で昇降機の利用状況に関する報告書を作成する。これにより、簡易型監視装置を備えた昇降機からも運行データを自動的に収集し、フルスペック監視装置が設けられる他の昇降機と同等の利用状況報告書を簡単に作成することができる。
【発明の効果】
【０００７】
本発明は、簡易型監視装置を備えた昇降機からも運行データを自動的に収集し、フルスペック監視装置が設けられる他の昇降機と同等の利用状況報告書を簡単に作成できるので、簡易型監視装置でフルスペック監視装置と同等の寿命診断ができるようになり、保守員の巡回回数を最少限に抑えながら、しかも顧客の信頼を確保することができる利用状況報告書を自動作成することができる。
【発明を実施するための最良の形態】
【０００８】
以下、本発明の昇降機の利用状況報告書作成装置の実施の形態を図に基づいて説明する。
【０００９】
図１は本発明の一実施形態に係る昇降機の利用状況報告書作成装置を示すブロック図、図２は本実施形態により作成した利用状況報告書の一例を示す説明図、図３は本実施形態により作成した利用状況報告書の他の例を示す説明図である。
【００１０】
図１に示す顧客ビル１Ａ、１Ｂは、通信手段５を介して監視センタ２、情報センタ３および営業所４に接続されている。顧客ビル１Ａには、昇降機１１と、この昇降機１１に接続されるフルスペック監視装置１２とが設けられ、このフルスペック監視装置１２は、外部の通信手段５に接続される送信手段１３と、昇降機１１の稼働中に得られた運行データを記憶する記憶部１４とを有している。同様に、他の顧客ビル１Ｂには、昇降機１５と、この昇降機１５に接続される簡易型監視装置１６とが設けられ、昇降機１５は、昇降機１５の稼働中に得られた運行データ、例えば簡易データである走行時間を記憶する記憶部１９を有し、この簡易型監視装置１６は、外部の通信手段５に接続される送信手段１７と、昇降機１５の記憶部１９に記憶されている簡易データを読み出す読み出し手段１８とを備えている。
【００１１】
監視センタ２には、昇降機１１，１５をそれぞれ所有する顧客の情報を記憶する顧客情報記憶部２１と、昇降機１１，１５の運行データを記憶する利用状況記憶部２２とが設けられている。情報センタ３には、利用状況記憶部２２に格納された運行データから所定のデータを抽出する利用状況抽出手段３１と、この利用状況抽出手段３１で抽出した所定のデータより昇降機１５の利用状況を演算する演算式を算出する演算式算出手段３３と、昇降機１５の走行距離演算式を記憶する分類別走行距離演算式記憶部３２と、昇降機１Ａ，１Ｂの各種部品の寿命データを格納する分類別部品寿命記憶部３４とが設けられている。また、営業所４には、報告書作成用パソコン４１と、印刷手段４２と、メンテナンス用パソコン４３とが設けられている。
【００１２】
この実施形態にあっては、フルスペック監視装置１２が昇降機１１の運行データを記憶部１４に記憶するとともに、この記憶した運行データを定期的に送信手段１３により通信手段５を介して監視センタ２ヘ転送し利用状況記憶部２２へ記憶する。また、簡易型監視装置１６は、昇降機１５の記憶部１９に記憶される昇降機１５の走行時間を読み出し手段１８で読み出し、送信手段１７により通信手段５を介して監視センタ２ヘデータを転送し利用状況記憶部２２へ記憶する。
【００１３】
次いで、情報センタ３は、利用状況抽出手段３１により監視センタ２の顧客情報記憶部２１に記憶される顧客情報を元に、利用状況記憶部２２に記憶される昇降機１１、１５の運行データを収集して、この収集した全てのデータを演算式算出手段３３より昇降機１１、１５の機種、建物の用途、階床数などの分類別の走行距離と時間の演算式（近似式）を算出し、分類別走行距離演算式記憶部３２に記憶することにより、上記の走行距離と時間の演算式を定期的に算出して算出精度を向上していく。また、情報センタ３は、顧客ビル１A、１Ｂより昇降機１１、１５の故障履歴などのデータを収集し、昇降機１１、１５の機種、建物の用途、階床数などの分類別データを部品寿命記憶部３４に格納することにより昇降機１１、１５の分類別部品寿命データの精度を向上していく。
【００１４】
次いで、例えば昇降機１５の利用状況報告書を営業所４で作成する際に、報告書作成用パソコン４１により監視センタ２の顧客情報記憶部２１から顧客ビル１Ｂの顧客情報を検索するとともに利用状況記憶部２２から運行データを検索し、これらの情報を図２に示すように印刷手段４２により印刷する。このとき、昇降機１５の利用状況報告書を顧客に提出する場合には、昇降機１５の走行時間だけでは分かりづらいので、分類別走行距離演算式記憶部３２に記憶される演算式を用いて走行時間より走行距離を演算する。また、営業所４でメンテナンス用パソコン４３を作動させることにより、昇降機１５が所定の走行距離に達すると交換が必要となる部品とその交換時期を分類別部品寿命記憶部３４より検索し、図３に示すようにメインテンス計画および修理計画を印刷手段４２により印刷する。
【００１５】
このように構成した実施形態では、簡易型監視装置１６を備えた昇降機１５からも運行データを報告書作成用パソコン４１により自動的に収集し、収集した運行データを営業所４より通信手段５を介して利用状況記憶部２２に記憶して、フルスペック監視装置１２を備えた昇降機１１と同等の利用状況報告書を簡単に作成することができる。
【００１６】
なお、上記実施形態にあっては、分類別走行距離演算式記憶部３２により、演算式算出手段３３の算出結果を記憶する算出結果記憶部が構成され、報告書作成用パソコン４１により、利用状況記憶部２２および分類別走行距離演算式記憶部３２から昇降機１１，１５に関するデータを収集するデータ抽出手段が構成され、報告書作成用パソコン４１および印刷手段４２により、前記のデータ抽出手段で抽出したデータに基づいて昇降機１１，１５の利用状況に関する報告書を作成する報告書作成手段が構成されている。
【００１７】
さらに、上記実施形態にあっては、簡易型監視装置１６を備えた昇降機１５の場合を例示したが、簡易型監視装置を備えていない昇降機の場合であっても、営業所４のメンテナンス用パソコン４３によりデータを収集し、営業所4より通信手段５を介して監視センタ２へ送信して利用状況記憶部２２に格納することにより同様の報告書を作成することもできる。
【図面の簡単な説明】
【００１８】
【図１】本発明の一実施形態に係る昇降機の利用状況報告書作成装置を示すブロック図である。
【図２】本実施形態により作成した利用状況報告書の一例を示す説明図である。
【図３】本実施形態により作成した利用状況報告書の他の例を示す説明図である。
【符号の説明】
【００１９】
１Ａ，１Ｂ    顧客ビル
２    監視センタ
３    情報センタ
４    営業所
１１    昇降機
１２    フルスペック監視装置
１３    送信手段
１４    記憶部
１５    昇降機
１６    簡易型監視装置
１７    送信手段
１８    読み出し手段
１９    記憶部
２１    顧客情報記憶部
２２    利用状況記憶部
３１    利用状況抽出部
３２    分類別走行距離演算式記憶部（算出結果記憶部）
３３    演算式算出手段
３４    分類別部品寿命記憶部
４１    報告書作成用パソコン
４２    印刷手段
４３    メンテナンス用パソコン
【図１】
2005067759.tif 000003
【図２】
2005067759.tif 000004
【図３】
2005067759.tif 000005